(57)【特許請求の範囲】
【請求項１】
下押し板と上押し板とを結合部において結合し、下押し板と上押し板との間に上刃と下刃の両方もしくは一方を長さ方向に往復動自在に保持した庭木バリカンであって、下押し板の一部を変形させて結合部よりも下方に突出する突出部を形成して成ることを特徴とする庭木バリカン。
【請求項２】
突出部は、長さ方向に連続的に設けて成ることを特徴とする請求項１記載の庭木バリカン。
【請求項３】
突出部は、長さ方向に間欠的にかつ結合部の近傍に設けて成ることを特徴とする請求項１記載の庭木バリカン。
【請求項４】
突出部は、結合部の周部に形成して成ることを特徴とする請求項１記載の庭木バリカン。
【請求項５】
突出部は、結合部と結合部との間に設けて成ることを特徴とする請求項１記載の庭木バリカン。
【請求項６】
結合部と突出部との間に突出部よりは低い平坦部を形成して成ることを特徴とする請求項３記載の庭木バリカン。
【発明の詳細な説明】
【０００１】
【発明の属する技術分野】
本発明は、庭木バリカンに関し、詳しくは、下押し板と上押し板とを結合して上下刃の一方もしくは両方を往復動自在に保持する構成において、上下押し板を結合する結合部を保護して結合機能の低下を防止し、長期にわたって安定的なバリカン機能を得るようにしようとする技術に係るものである。
【０００２】
【従来の技術】
従来、下押し板と上押し板とを結合部においてリベット等にて結合し、下押し板と上押し板との間に上刃と下刃の一方もしくは両方を長さ方向に往復動自在に保持した庭木バリカンにおいては、下押し板と上押し板とを結合する結合部が上下押し板より突出し、かかる結合部に庭木等が衝突することで、結合部の結合機能が低下し、上下押し板間における上下刃の駆動を安定化させ難く、長期にわたって安定的なバリカン機能を得ることができないという問題があった。
【０００３】
【発明が解決しようとする課題】
本発明はこのような問題に鑑みてなされたものであり、下押し板と上押し板とを結合して上下刃を往復動自在に保持する構成において、上下押し板を結合する結合部を保護して結合機能の低下を防止し、長期にわたって安定的なバリカン機能を得ることができる庭木バリカンを提供することを課題とするものである。
【０００４】
【課題を解決するための手段】
請求項１においては、下押し板１と上押し板２とを結合部３において結合し、下押し板１と上押し板２との間に上刃４と下刃５の一方もしくは両方を長さ方向に往復動自在に保持した庭木バリカンであって、下押し板１の一部を変形させて結合部３よりも下方に突出する突出部６を形成していることを特徴とするものである。このような構成によれば、庭木の剪定において、結合部３より下方に突出した突出部６によって結合部３に枝等が衝突するのを防止することができ、結合部３に枝等が当たることで結合部３が損傷して結合機能が緩むようなことがなく、上下押し板１、２間に保持する上下刃４、５の一方もしくは両方の往復動を安定化させることができ、長期にわたって安定的なバリカン機能を得ることができる。
【０００５】
この場合、請求項２のように、突出部６は、長さ方向に連続的に設けていてもよいものである。
【０００６】
請求項３においては、突出部６は、長さ方向に間欠的にかつ結合部３の近傍に設けていることを特徴とするものである。このような構成によれば、結合部３の周辺にのみ突出部６が存在し、剪定等の作業時に突起部６に枝等が引っ掛かることを低減できて突出部６を設けたことから作業性が低下することを低減することができる。
【０００７】
請求項４においては、突出部６は、結合部３の周部に形成していることを特徴とするものである。このような構成によれば、結合部３の周部にのみ突出部６が存在し、剪定等の作業時に突起部６に枝等が引っ掛かることを低減できて突出部６を設けたことから作業性が低下することを、一層、低減することができる。
【０００８】
請求項５においては、突出部６は、結合部３と結合部３との間に設けていることを特徴とするものである。このような構成によれば、突出部６によって結合部３、３間の下押し板１部分に枝等が当接するのを防止することができ、下押し板１に枝等が当接することによる下押し板１と下刃５との摺接抵抗が増すことがなく、低負荷で例えば下刃５を駆動することができる。
【０００９】
請求項６においては、結合部３と突出部６との間に突出部６よりは低い平坦部７を形成していることを特徴とするものである。このような構成によれば、突出部６よりも低い平坦部７において下押し板１と上押し板２との結合作業がおこないやすく組み立てが容易におこなえる。
【００１０】
【発明の実施の形態】
以下、本発明の実施の形態を説明する。図１（ａ）はバリカン刃の長さ方向に沿う断面図、同図（ｂ）は同図（ａ）のＡ−Ａ線断面図である。図２は一部省略した全体断面図である。
【００１１】
庭木バリカン１０は、ハウジング１１の前部にバリカン刃１２を突出させ、上部にスイッチ１３を有するグリップ１４を設け、ハウジング１１よりも上側に補助グリップ１５を備え、バリカン刃１２の根本部に保護カバー１６を取り付けている。ハウジング１１の内部にはモータ１７及び減速ブロック１８を設け、出力軸１９に偏心カム２０を取り付けている。
【００１２】
バリカン刃４は、下押し板１と上押し板２を長さ方向に間隔を隔ててリベットのような結合部３…にて結合し、下押し板１と上押し板２との間に上刃４と下刃５を往復動自在に保持している。
【００１３】
偏心カム２０の上部カム２０ａが上刃４の係合孔４ａに係合し、下部カム２０ｂが下刃５の係合孔５ａに係合し、モータ１７及び減速ブロック１８にて出力軸１９を低速回転させて上下刃４、５を往復駆動させることができるようにしている。上下刃４、５はバリカン形態になっていて上下刃４、５の協同で枝等を切断する。尚、上下刃４、５の片方を駆動する駆動形態にしてもよいものである。
【００１４】
図１に示すように、下押し板１の幅方向の両側部に結合部３よりも下方に突出する突出部６を折り曲げて形成している。このような構成によれば、庭木の剪定において、結合部３より下方に突出した突出部６によって結合部３に枝等が衝突するのを防止することができ、結合部３に枝等が当たることで結合部３が損傷して結合機能が緩むようなことがなく、上下押し板１、２間に保持する上下刃４、５の往復動を安定化させることができ、長期にわたって安定的なバリカン機能を得ることができる。この場合、上押し板２の幅方向の両側部にも折り曲げによってカバー部２１を上方に突出している。
【００１５】
このように、下押し板１に結合部３よりも下方に突出する突出部６を設けているから、庭木の剪定において、結合部３より下方に突出した突出部６によって結合部３に枝等が衝突するのを防止することができ、結合部３に枝等が当たることで結合部３が損傷して結合機能が緩むようなことがなく、上下押し板１、２間に保持する上下刃４、５の一方もしくは両方の往復動を安定化させることができ、長期にわたって安定的なバリカン機能を得ることができる。
【００１６】
図３は他の実施の形態を示し、但し、本実施の形態の基本構成は上記実施の形態と共通であり、共通する部分には同一の符号を付して説明は省略する。
【００１７】
本実施の形態においては、突出部６は、長さ方向に間欠的にかつ結合部３の近傍に下押し板１を折り曲げて形成している。このように、結合部３の周辺にのみ突出部６が存在することから、剪定等の作業時に突起部６に枝等が突出部６に引っ掛かることを低減できて作業性が低下することを低減することができる。
【００１８】
図４は更に他の実施の形態を示し、但し、本実施の形態の基本構成は上記実施の形態と共通であり、共通する部分には同一の符号を付して説明は省略する。
【００１９】
本実施の形態においては、突出部６は、結合部３の周部に環状に折り曲げて形成していて、結合部３の周部にのみ突出部６が存在し、剪定等の作業時に突起部６に枝等が突出部６に引っ掛かることを低減できて突出部６を設けたことから作業性が低下することを、一層、低減することができる。
【００２０】
図５は更に他の実施の形態を示し、但し、本実施の形態の基本構成は上記実施の形態と共通であり、共通する部分には同一の符号を付して説明は省略する。
【００２１】
本実施の形態においては、突出部６は、結合部３と結合部３との間に下押し板１を横断面略Ｕ字状に曲げて形成していて、突出部６によって結合部３、３間の下押し板１部分に枝等が当接するのを防止することができ、下押し板１に枝等が当接することによる下押し板１と下刃５との摺接抵抗が増すことがなく、低負荷で例えば下刃５を駆動することができる。
【００２２】
図６は更に他の実施の形態を示し、但し、本実施の形態の基本構成は上記実施の形態と共通であり、共通する部分には同一の符号を付して説明は省略する。
【００２３】
本実施の形態においては、下押し板１を環状にかつＵ字状に折り曲げて突出部６を形成して結合部３と突出部６との間に突出部６よりは低い平坦部７を形成している。このことから、突出部６よりも低い平坦部７において下押し板１と上押し板２との結合作業がおこないやすく組み立てが容易におこなえる。
【００２４】
【発明の効果】
請求項１においては、下押し板と上押し板とを結合部において結合し、下押し板と上押し板との間に上刃と下刃の一方もしくは両方を長さ方向に往復動自在に保持した庭木バリカンであって、下押し板の一部を変形させて結合部よりも下方に突出する突出部を形成しているから、庭木の剪定において、結合部より下方に突出した突出部によって結合部に枝等が衝突するのを防止することができ、結合部に枝等が当たることで結合部が損傷して結合機能が緩むようなことがなく、上下押し板間に保持する上下刃の一方もしくは両方の往復動を安定化させることができ、長期にわたって安定的なバリカン機能を得ることができるという利点がある。
【００２５】
請求項３においては、請求項１の効果に加えて、突出部は、長さ方向に間欠的にかつ結合部の近傍に設けているから、結合部の周辺にのみ突出部が存在し、剪定等の作業時に突起部に枝等が引っ掛かることを低減できて突出部を設けたことから作業性が低下することを低減することができるという利点がある。
【００２６】
請求項４においては、請求項１の効果に加えて、突出部は、結合部の周部に形成しているから、結合部の周部にのみ突出部が存在し、剪定等の作業時に突起部に枝等が引っ掛かることを低減できて突出部を設けたことから作業性が低下することを、一層、低減することができるという利点がある。
【００２７】
請求項５においては、請求項１の効果に加えて、突出部は、結合部と結合部との間に設けているから、突出部によって結合部間の下押し板部分に枝等が当接するのを防止することができ、下押し板に枝等が当接することによる下押し板と下刃との摺接抵抗が増すことがなく、低負荷で例えば下刃を駆動することができるという利点がある。
【００２８】
請求項６においては、請求項３の効果に加えて、結合部と突出部との間に突出部よりは低い平坦部を形成しているから、突出部よりも低い平坦部において下押し板と上押し板との結合作業がおこないやすく組み立てが容易におこなえるという利点がある。
【図面の簡単な説明】
【図１】本発明の実施の一形態を示し、（ａ）はバリカン刃の長さ方向に沿う断面図、（ｂ）は（ａ）のＡ−Ａ線断面図である。
【図２】同上の一部省略した全体断面図である。
【図３】同上の他の実施の形態を示し、（ａ）はバリカン刃の長さ方向に沿う断面図、（ｂ）は（ａ）のＢ−Ｂ線断面図である。
【図４】同上の更に他の実施の形態を示し、（ａ）はバリカン刃の長さ方向に沿う断面図、（ｂ）は部分底面図、（ｃ）は（ａ）のＣ−Ｃ線断面図である。
【図５】同上の更に他の実施の形態を示し、（ａ）はバリカン刃の長さ方向に沿う断面図、（ｂ）は（ａ）のＤ−Ｄ線断面図である。
【図６】同上の更に他の実施の形態を示し、（ａ）はバリカン刃の長さ方向に沿う断面図、（ｂ）は（ａ）のＥ−Ｅ線断面図である。
【符号の説明】
１  下押し板
２  上押し板
３  結合部
４  上刃
５  下刃
６  突出部
７  平坦部
【図１】
0003941470.tif 000002
【図２】
0003941470.tif 000003
【図３】
0003941470.tif 000004
【図４】
0003941470.tif 000005
【図５】
0003941470.tif 000006
【図６】
0003941470.tif 000007